(57)【要約】【課題】  蜂蜜等の粘稠物を掬い易くし、かつ無駄に残留する粘稠物を少なくする蜂蜜スプーンを提供する。【解決手段】  蜂蜜等の粘稠物を掬う蜂蜜スプーンであって、この蜂蜜スプーンは、皿部と把持部から構成され、この皿部と把持部は対になった側壁を有し、この側壁は皿先端側壁と皿本体側壁と把持部側壁とからり、これらの皿先端側壁と皿本体側壁との間と、皿先端側壁同士の間と、把持部側壁同士の間はヒンジにより連結され、このヒンジは皿先端側壁同士の間を連結する先端ヒンジと、皿本体側壁同士の間及び把持部側壁同士の間を連結する中央ヒンジと、皿先端側壁と皿本体側壁を連結する側方ヒンジとを有し、この側壁は剛性を高くし、ヒンジはこれより剛性を低くし、この蜂蜜スプーンは外部から力を与えない自由状態では下方に凸となり凹状の皿部を形成し、把持部側壁を内側に押圧すると皿先端側壁同士と皿本体同士が密着することを特徴とする蜂蜜スプーンである。【選択図】図１
2018000235.tif 000002
【特許請求の範囲】
【請求項１】
蜂蜜等の粘稠物を掬う蜂蜜スプーンであって、この蜂蜜スプーンは、皿部と把持部から構成され、この皿部と把持部は対になった側壁を有し、この側壁は皿先端側壁と皿本体側壁と把持部側壁とからなり、これらの皿先端側壁と皿本体側壁との間と、皿先端側壁同士の間と、皿本体側壁同士の間と、把持部側壁同士の間はヒンジにより連結され、このヒンジは皿先端側壁同士の間を連結する先端ヒンジと、皿本体側壁同士の間及び把持部側壁同士の間を連結する中央ヒンジと、皿先端側壁と皿本体側壁を連結する側方ヒンジとを有し、この側壁は剛性を高くし、ヒンジは側壁より剛性を低くし、この蜂蜜スプーンは外部から力を与えない自由状態では下面は下方に凸となり上面に凹状の皿部を形成し、把持部側壁を内側に押圧すると皿先端側壁同士と皿本体側壁同士が密着することを特徴とする蜂蜜スプーン。
【請求項２】
請求項１の蜂蜜スプーンの側壁とヒンジを同一材料で一体成形し、側壁は厚肉とし、ヒンジは薄肉としたことを特徴とする蜂蜜スプーン。
【請求項３】
請求項１の蜂蜜スプーンの側壁は剛性の高い材料で成形し、ヒンジは側壁より剛性の低い材料で成形したことを特徴とする蜂蜜スプーン。
【発明の詳細な説明】
【技術分野】
【０００１】
この発明は、蜂蜜等の粘稠物を容器から掬いだして食物に塗布する際に使用する蜂蜜スプーンに関する。
【背景技術】
【０００２】
蜂蜜等の粘稠物を容器から掬いだして食物等に塗布する際、一般の食卓用スプーンを使用すると、蜂蜜等粘稠物が垂れて、容器の縁やテーブル等を汚してしまう問題があった。
【先行技術文献】
【特許文献】
【０００３】
【特許文献１】実開昭４９−１０９８７７
【特許文献２】実開平４−４８７２
【特許文献３】特開２００３−２５９９５７
【発明の概要】
【発明が解決しようとする課題】
【０００４】
この為に、特許文献１のような技術が開示されている。これは、複数の円形の薄い板を間隔をおいて一体にした匙部を設けたものであるが、円形の薄板の間に溜まった蜂蜜が垂れてくるという問題は解決されていないばかりでなく、円形の薄板の間に蜂蜜が残留し、使用後無駄になるという新たな問題を生じていた。
【０００５】
特許文献２の技術では、ジャバラの間に蜂蜜を付着させて蜂蜜を掬い取り、ジャバラを圧縮して蜂蜜を押し出そうとする技術であるが、ジャバラ同士が密着せず、蜂蜜がジャバラの間に残留してしまう問題は解決されていなかった。
【０００６】
特許文献３の技術は、壁構成体と主体で皿を構成し、この主体を移動させて蜂蜜を塗り易くするものであるが、壁構成体と主体の間に隙間ができて、蜂蜜がが漏れて滴下してしまい、また、構造が複雑で蜂蜜が残留してしまう問題も解決されていなかった。
【課題を解決するための手段】
【０００７】
蜂蜜等の粘稠物を掬う蜂蜜スプーンであって、この蜂蜜スプーンは、皿部と把持部から構成され、この皿部と把持部は対になった側壁を有し、この側壁は皿先端側壁と皿本体側壁と把持部側壁とからなり、これらの皿先端側壁と皿本体側壁との間と、皿先端側壁同士の間と、皿本体側壁同士の間と、把持部側壁同士の間はヒンジにより連結され、このヒンジは皿先端側壁同士の間を連結する先端ヒンジと、皿本体側壁同士の間及び把持部側壁同士の間を連結する中央ヒンジと、皿先端側壁と皿本体側壁を連結する側方ヒンジとを有し、この側壁は剛性を高くし、ヒンジは側壁より剛性を低くし、この蜂蜜スプーンは外部から力を与えない自由状態では下方に凸となり凹状の皿部を形成し、把持部側壁を内側に押圧すると皿先端側壁同士と皿本体側壁同士がが密着することを特徴とする蜂蜜スプーンである。
【発明の効果】
【０００８】
上記の問題点を解決し、蜂蜜が滴下し難く、無駄に残留する蜂蜜を少なくする蜂蜜スプーンを提供することができる。
【図面の簡単な説明】
【０００９】
【図１】第一の実施例の蜂蜜スプーンの自由状態の斜視図である。
【図２】第一の実施例の蜂蜜スプーンの閉じた状態の斜視図である。
【図３】第一の実施例の蜂蜜スプーンの自由状態の平面図である。
【図４】第一の実施例の蜂蜜スプーンの自由状態の正面図である。背面図は上下対称に表れる。
【図５】第一の実施例の蜂蜜スプーンの自由状態の底面図である。
【図６】第一の実施例の蜂蜜スプーンの自由状態の左側面図である。
【図７】第一の実施例の蜂蜜スプーンの自由状態の右側面図である。
【図８】第一の実施例の蜂蜜スプーンの自由状態である図３のAA断面図である。
【図９】第二の実施例の蜂蜜スプーンの自由状態の斜視図である。
【図１０】第二の実施例の蜂蜜スプーンの閉じた状態の斜視図である。
【発明を実施するための形態】
【００１０】
蜂蜜等の粘稠物を掬う蜂蜜スプーンであって、この蜂蜜スプーンは、皿部と把持部から構成され、この皿部と把持部は対になった側壁を有し、この側壁は皿先端側壁と皿本体側壁と把持部側壁とからなり、これらの皿先端側壁と皿本体側壁との間と、皿先端側壁同士の間と、皿本体側壁同士の間と、把持部側壁同士の間はヒンジにより連結され、このヒンジは皿先端側壁同士の間を連結する先端ヒンジと、皿本体側壁同士の間及び把持部側壁同士の間を連結する中央ヒンジと、皿先端側壁と皿本体側壁を連結する側方ヒンジとを有し、この側壁は剛性を高くし、ヒンジは側壁より剛性を低くし、この蜂蜜スプーンは外部から力を与えない自由状態では下面は下方に凸となり上面に凹状の皿部を形成し、把持部側壁を内側に押圧すると皿先端側壁同士と皿本体側壁同士が密着することを特徴とする蜂蜜スプーンである。
【００１１】
上記の蜂蜜スプーンの側壁とヒンジを同一材料で一体成形し、側壁は厚肉とし、ヒンジは薄肉としたことを特徴とする蜂蜜スプーンである。
上記の蜂蜜スプーンの側壁は剛性の高い材料で成形し、ヒンジはこれより剛性の低い材料で成形したことを特徴とする蜂蜜スプーンである。
【実施例】
【００１２】
図１乃至図８により、第一の実施例の蜂蜜スプーンを説明する。図２以外は、外力を加えない自由状態で開いた形状の蜂蜜スプーンを示す。図２は、指でB方向に押厚して、蜂蜜スプーンを閉じた状態を示す。
蜂蜜スプーン１０は、皿部１２と把持部１４から構成されている。皿部１２と把持部１４は対になった側壁２０を有し、側壁２０は、皿先端側壁２１、皿本体側壁２２、把持部側壁２３とからなっている。
【００１３】
皿先端側壁２１と皿本体側壁２２との間、皿先端側壁２１同士の間、皿本体側壁２２同士の間、把持部側壁２３同士の間はヒンジ４０により連結されている。ヒンジ４０は、対になった皿先端側壁２１同士の間をつなぐ先端ヒンジ４１と、皿本体側壁２２同士の間及び把持部側壁２３の間を連結する中央ヒンジ４３と、皿先端側壁２１と皿本体側壁２２を連結する側方ヒンジ４２を有している。
【００１４】
皿先端側壁２１、皿本体側壁２２、把持部側壁２３は剛性の高い部材で構成され、皿本体側壁２２と把持部側壁２３は連続した部材で構成されている。先端ヒンジ４１、側方ヒンジ４２、中央ヒンジ４３は側壁２０より剛性の低い部材で構成されている。例へば、皿先端側壁２１、皿本体側壁２２、把持部側壁２３は、塩化ビニール、PP、ABS等の硬質プラスチックで形成し、先端ヒンジ４１、側方ヒンジ４２、中央ヒンジ４３を含めて、シリコーンゴム、エラストマー、軟質プラスチック等軟質材で包み込むように形成しても良い。
【００１５】
或いは、蜂蜜スプーン１０全体を同一材料で形成し、皿先端側壁２１、皿本体側壁２２、把持部側壁２３は厚肉として剛性を高くし、先端ヒンジ４１、側方ヒンジ４２、中央ヒンジ４３は薄肉として剛性を低くしても良い。
【００１６】
蜂蜜スプーン１０は外部から力を与えない自由状態では下面は下方に凸となるよう形態を保持し、蜂蜜を収容できる凹状の皿部１２を形成できる。皿部１２は隙間のない形状を形成しているので、皿部１２に収容した蜂蜜は従来技術のように隙間から無駄に滴下することがない。把持部側壁２３を内側に押圧すると皿先端側壁２１同士と皿本体側壁２２同士を密着させ、皿部１２の内部に残留・付着した蜂蜜を押し出すことができる。皿部１２の外部に付着した蜂蜜は、パン等の食物や蜂蜜容器の縁に擦りつけて除去することができる。
【００１７】
このように、使用後の蜂蜜スプーン１０に残留する蜂蜜を少なくすることにより、蜂蜜を無駄に捨てなくて済む利点がある。
【００１８】
図９、図１０は、第二の実施例の蜂蜜スプーン１０である。皿本体側壁２２と把持部側壁２３の間にオフセット２４を設け、皿本体側壁２２同士の間よりも把持部側壁２３同士の間を広げ、皿先端側壁２１同士と皿本体側壁２２同士がよりしっかり密着できるようにしている。もちろん、オフセット２４は段差でなくて、湾曲して拡大しても良い。
【産業上の利用可能性】
【００１９】
この発明の蜂蜜スプーンは、蜂蜜だけでなく、メープルシロップ・水飴・ジャム等の粘稠物用スプーンとしても利用が可能である。
【符号の説明】
【００２０】
１０は蜂蜜スプーン
１２は皿部
１４は把持部
２０は側壁
２１は皿先端側壁
２２は皿本体側壁
２３は把持部側壁
２４はオフセット
４０はヒンジ
４１は先端ヒンジ
４２は側方ヒンジ
４３は中央ヒンジ
【図１】
2018000235.tif 000003
【図２】
2018000235.tif 000004
【図３】
2018000235.tif 000005
【図４】
2018000235.tif 000006
【図５】
2018000235.tif 000007
【図６】
2018000235.tif 000008
【図７】
2018000235.tif 000009
【図８】
2018000235.tif 000010
【図９】
2018000235.tif 000011
【図１０】
2018000235.tif 000012